(57)【要約】  本発明は、座部（３）及び背もたれ部（４）が取付けられているフレーム（２）を備えるレクリエーションビークル用のリクライニングベンチシート（１）に関する。背もたれ部（４）は着座位置と横臥位置との間で枢動でき、この場合、背もたれ部（４）の背部は横臥した状態において上方に配置される。座部（３）の変更を必要とすることなく、着座位置と横臥位置との間でベンチを容易に枢動できるようにするために、座部と背もたれ部とを含むフレーム（２）全体が枢動可能に取付けられる。
2007537088.tif 000002
【特許請求の範囲】
【請求項１】
座部及び背もたれ部が取付けられているフレームを有するキャンピングカー、キャラバン、バン等のためのリクライニングベンチシートであり、前記背もたれ部が着座位置と横臥位置との間で枢動できるように前記背もたれ部が装着され、前記横臥位置において、前記背もたれ部の背部が上方に位置するように配置されるリクライニングベンチシートであって、
前記座部（３）と前記背もたれ部（４）とを備えた前記フレーム（２）が、前記着座位置と前記横臥位置との間で枢動できるように装着されることを特徴とするリクライニングベンチシート。
【請求項２】
マットレス（７）は、前記背もたれ部（４）の前記背部に固定して取付けられ、前記背もたれ部（４）の前記背部とは反対側の前記マットレスの側面で横臥領域（８）を形成することを特徴とする請求項１に記載のリクライニングベンチシート。
【請求項３】
前記横臥領域（８）を大きくするために、前記マットレス（７）に加えて、マットレス部（９）が設けられることを特徴とする請求項２に記載のリクライニングベンチシート。
【請求項４】
前記マットレス部（９）が、前記背もたれ部（４）の前記背部に固定された前記マットレス（７）に着脱可能に固定されることを特徴とする請求項３に記載のリクライニングベンチシート。
【請求項５】
前記マットレス（７）から着脱できる又は前記マットレスに対して固定されていない前記マットレス部（９）を、関連する車両の収納室（１３）の一部に装着でき、装着位置において、前記座部及び前記背もたれ部（４）の傾倒された前記横臥位置で、前記背もたれ部（４）の前記背部に配置された前記マットレス（７）に前記マットレス部が密接することを特徴とする請求項３又は４に記載のリクライニングベンチシート。
【請求項６】
不使用位置において、前記マットレス部（９）が、前記横臥領域（８）を形成する前記マットレスの面にあるように配置されることを特徴とする請求項３に記載のリクライニングベンチシート。
【請求項７】
前記マットレス部（９）が枢動できるように、前記マットレス部（９）が、前記背もたれ部（４）に、又は前記背もたれ部に固定して取付けられた前記マットレス（７）に取付けられることを特徴とする請求項６に記載のリクライニングベンチシート。
【請求項８】
前記座部（３）と前記背もたれ部（４）の着座幅と、前記マットレス（７）の横臥幅と、必要に応じて前記マットレス部（９）の横臥幅とが異なることを特徴とする請求項１〜７のいずれか一項に記載のリクライニングベンチシート。
【請求項９】
前記背もたれ部（４）の前記背部に配置された前記マットレス（７）が、前記背もたれ部（４）の直立着座位置において、前記関連する車両の取付け収納棚に完全に又は部分的に埋設され、前記収納室（１３）の一部を形成することを特徴とする請求項１〜８のいずれか一項に記載のリクライニングベンチシート。
【請求項１０】
前記座部（３）及び前記背もたれ部（４）を支持する前記フレーム（２）に、前記マットレス（７）を側面から覆うシールド（１５）が配置されることを特徴とする請求項９に記載のリクライニングベンチシート。
【請求項１１】
前記マットレス（７）を側面から覆う前記シールド（１５）が、前記収納室（１３）の前記一部の開口部に面一に隣接し、前記関連する車両の前記取付け収納棚を形成することを特徴とする請求項１０に記載のリクライニングベンチシート。
【請求項１２】
前記背もたれ部（４）と前記マットレス（７）とが、前記マットレス（７）と前記背もたれ部（４）との間に配置された共通の弾性システム（１６）を有することを特徴とする請求項１〜１１のいずれか一項に記載のリクライニングベンチシート。
【請求項１３】
前記背もたれ部（４）と前記マットレス（７）との間にある前記弾性システム（１６）が、格子状フレームを備えることを特徴とする請求項１２に記載のリクライニングベンチシート。
【請求項１４】
前記背もたれ部（４）と前記マットレス（７）との間にある前記弾性システム（１６）が、前記背もたれの側を向いている第１のばね要素（１７）と、前記マットレスの側を向いている第２のばね要素（１８）とを有し、前記ばね要素（１７、１８）が、一方では着座快適性に応じて、他方では横臥快適性に応じて別々に形成されることを特徴とする請求項１３に記載のリクライニングベンチシート。
【請求項１５】
アームレスト（２０）及び／又は折り畳みテーブル（１９）のような付属品が、前記座部（３）に取付けられ、前記着座位置と前記横臥位置との間で枢動する間、前記座部と共に枢動することを特徴とする請求項１〜１４のいずれか一項に記載のリクライニングベンチシート。
【請求項１６】
前記リクライニングベンチシートが、前記関連する車両において、走行方向前方と逆方向に回転させることができる前部座席（１０）と組み合わされ、該走行方向前方と逆方向に回転された前部座席（１０）の位置において、また前記リクライニングベンチシート（１）の前記横臥位置において、前方に傾倒された前記リクライニングベンチシートの前記背もたれ部（４）が、前記前部座席（１０）の前記座部（１１）を介して前記前部座席の背もたれ部（１２）まで達することを特徴とする請求項１〜１５のいずれか一項に記載のリクライニングベンチシート。
【発明の詳細な説明】
【技術分野】
【０００１】
本発明は、請求項１の前段によるリクライニングベンチシートに関する。
【背景技術】
【０００２】
レクリエーションビークル用の一般に知られているリクライニングベンチシートの場合、原則として、座席領域及び背もたれ領域の両方が、横臥位置において、就寝用の横臥領域として使用される。このため、座席領域及び背もたれ領域は、可能な限り最も水平に位置合わせされて移動され、ここで、適切な間隔で背もたれを後方に降ろすことができるようにするために、また座席領域をその後方領域で上げることができるようにするために、特定の取付け部が使用される。
【０００３】
横臥領域を形成するために、背もたれ部の背部だけでなく座部の裏面も上方に配置して使用できる冒頭に述べたタイプのリクライニングベンチシートが知られている。このリクライニングベンチシートは、背もたれ部の輪郭形成されていない背部を使用して、平坦な横臥領域を形成することができるという利点を有する。しかし、この既知の構造では、リクライニングベンチシートの座部及び背もたれ部を着座位置から横臥位置に変更できるようにするために、複雑な機構が必要になる。
【発明の開示】
【発明が解決しようとする課題】
【０００４】
本発明は、横臥領域を形成するため、上方に配置されるように背もたれ部の背部を枢動できるだけでなく、座部の方向転換を行う必要なしに枢動を極めて簡単に行うこともできるリクライニングベンチシートを提供することを目的とする。
【課題を解決するための手段】
【０００５】
冒頭に述べたタイプのリクライニングベンチシートの場合、上記目的は、請求項１の特徴によって達成される。
【０００６】
本発明では、座部及び背もたれ部の互いの相対位置が維持されるように、リクライニングベンチシートを枢動できることが重要であるが、この理由は、座部及び背もたれ部が１つの回転軸線を中心に共に傾倒されて、座部が横臥位置で機能しなくなるからである。適切な固定の解除に続いて、背もたれ部の平坦な背部が上方に配置されて位置合わせされ、ベッドが背もたれ部の上に配置されるまで、ベンチ全体が前方に傾倒されることで、着座位置から横臥位置への変更が行われる。関連するマットレスは、背もたれ部の背部に同時に固定して配置され、したがって、着座位置から横臥位置にまた横臥位置から着座位置に変更する間に、背部と共に枢動することが有利である。
【０００７】
本発明の別の有利な改良された特徴が従属請求項から明らかになる。
【発明を実施するための最良の形態】
【０００８】
典型的な実施形態においてまた図面を用いることによって、本発明について以下により詳細に説明する。
【０００９】
図１は、詳細に具体的に図示されていないフレーム２を有するリクライニングベンチシート１を詳細に示しており、フレーム２には、座部３及び背もたれ部４が共に取付けられる。フレーム２は、図１から明らかな着座位置と、図２に示されている横臥位置との間で枢動できるように、関連する車両に固定されるべく取付けられている支持装置５に装着される。このために、支持装置５の上端には、単一の枢軸６が配置され、この単一の枢軸６を中心に、座部３及び背もたれ部４を共に傾倒させることができる。このことは着座位置から行われ、この着座位置において、座部３及び背もたれ部４が前方に傾倒され、この後に、背もたれ部４の背部が、図２に示されている横臥位置に水平に位置合わせされる。横臥位置において、座部３は機能せず、代わりに、その座部は自由空間内に下方に枢動され、この自由空間は、横臥位置にある背もたれ部４の上側に必要な床面積であるので、いずれにしろ、横臥位置にある座部３を収容するために利用可能である。
【００１０】
背もたれ部４の背部には、少なくとも１つのマットレス７が固定して取付けられ、このマットレスは、上部が着座位置で背もたれ部４と共に終端するが、背もたれ部４よりもさらに下方に車両床まで達する。マットレス７は、背もたれ部４とは反対側のマットレス７の側面に横臥領域８を形成し、この横臥領域を追加のマットレス部９によって大きくすることができる。
【００１１】
関連する車両内の設置位置では、前部座席１０が、車両の長手方向のリクライニングベンチシート１の前方に配置され、また前部座席１０を通常の位置から、走行方向と逆方向に回転された位置に枢動できるようにするために、垂直軸線を中心に回転させることができる。前部座席１０の１つに関して、走行方向と逆方向の配置が図１と図２に示されている。座席１０は、通常通り、座部１１と背もたれ部１２とを有する。傾倒可能なリクライニングベンチシート１と、回転可能な前部座席１０とを組み合わせることにより、図２で見ることができるリクライニングベンチシート１の横臥位置において、空間を節約する構成が得られる。横臥位置において、リクライニングベンチシート１の背もたれ部４は前部座席１０の座部１１を介して前部座席１０の背もたれ部１２まで達する。この場合、リクライニングベンチシート１の背もたれ部４を前部座席１０の座部１１で支持でき、このために、リクライニングベンチシート１の背もたれ部４の背もたれ輪郭と前部座席１０の座部１１の着座輪郭とを互いに一致させることができる。
【００１２】
関連する車両においてリクライニングベンチシート１の背後に配置された取付け収納棚１３によって、リクライニングベンチシート１には、さらなる空間を節約する構成が得られる。取付け収納棚１３は、前方に配置された開口部を有し、この開口部は、リクライニングベンチシート１の着座位置において、リクライニングベンチシート１の背もたれ部４と、背もたれ部４に配置されたマットレス７とによって閉じられる。図４と図５に示したように、背もたれ部には横方向シールド１５を配置でき、この横方向シールドは、第１に、背もたれ部４に配置されたマットレス７を側面から覆うことができ、第２に、リクライニングベンチシート１の着座位置と取付け収納棚１３との調和のとれたデザインを得るために、前記横方向シールドが取付け収納棚１３の開口部に隣接するように構成することができる。取付け収納棚１３には、ブラケット１４があり、追加のマットレス部９が非固定に配置されている場合には、このブラケットに追加のマットレス部９を装着できる。同様に必要なベッドとして、マットレス部９を取付け収納棚１３内に収容できる。
【００１３】
他の実施形態では、追加のマットレス部９を取外すことができるようにフック・アンド・ループ装置を使用してマットレス７に配置すべく、あるいは追加のマットレス部９を枢動するか又は折り畳むことができるように少なくとも１つのヒンジを使用してマットレス７に固定すべく、追加のマットレス部９をマットレス７に配置できる。追加のマットレス部９の種々の配置及び構造が図１〜図３に示されている。一般に、マットレス部９を使用することによって、背もたれ部４に固定されたマットレス７の横臥領域８の長さを延長することができることが重要である。例えば、追加のマットレス部９は、枢動できるように取付け収納棚１３のブラケット１４に取付けることができる。他の実施形態では、リクライニングベンチシート１の横臥位置において、追加のマットレス部９をマットレス７からブラケット１４の上にひらくことができる。
【００１４】
図５と図６により、背もたれ部４及びそれに固定されたマットレス７の内部構造を理解することができる。背もたれ部４及びマットレス７の両方は、格子状フレームの形状の共通の弾性要素１６を有し、背もたれ部４の領域において、前記弾性要素の前部には、ばね要素１７が装備され、このばね要素は、背もたれ部４の着座快適性及び背もたれ快適性を向上させるために使用され、リクライニングベンチシート１を着座位置で使用するために重要である。横臥領域８の真下の領域において、すなわち、背もたれ部４とは反対側のマットレス７の側面において、弾性システム１６の格子状フレームには、ばね要素１８があり、このばね要素は、リクライニングベンチシートを横臥位置で使用する際に重要である横臥快適性を実現する。
【００１５】
図７は、リクライニングベンチシート１の別の特別な特徴を示している。座部３には、折り畳みテーブル１９が配置され、この折り畳みテーブルが折り畳まれた位置の上方に配置された縁部には、アームレスト２０が形成される。着座位置から横臥位置にまた横臥位置から着座位置に枢動する間に、座部３及び背もたれ部４が一体的に移動されるので、この場合、アームレスト２０を含む、座部３に固定された折り畳みテーブル１９も座部３及び背もたれ部４と共に枢動する。
【図面の簡単な説明】
【００１６】
【図１】着座位置にあるリクライニングベンチシート、及びそれに対向して配置された前部座席の概略側面図である。
【図２】図１に対応するが、リクライニングベンチシートが横臥位置にある図面である。
【図３】構造が僅かに変更されたリクライニングベンチシートの側面斜視図である。
【図４】リクライニングベンチシートのさらなる別形態の図面である。
【図５】リクライニングベンチシートの背もたれ部を部分的に切り開いた正面斜視図である。
【図６】リクライニングベンチシートの背もたれ部を切り開いた背面斜視図である。
【図７】リクライニングベンチシートの別の実施形態の正面斜視図である。
【図１】
2007537088.tif 000003
【図２】
2007537088.tif 000004
【図３】
2007537088.tif 000005
【図４】
2007537088.tif 000006
【図５】
2007537088.tif 000007
【図６】
2007537088.tif 000008
【図７】
2007537088.tif 000009
【国際調査報告】
2007537088.tif 000010
2007537088.tif 000011
2007537088.tif 000012
2007537088.tif 000013
2007537088.tif 000014
2007537088.tif 000015